(57)【特許請求の範囲】
【請求項１】
回転子磁気セクタを有する電動機回転子の永久磁石を磁化する方法であって、各回転子磁気セクタが、単一のそれぞれの磁化方向を持っていて少なくとも１個の磁石（２０）からなっており、前記電動機の固定子（３０）は複数のコイル（４０）を保持しており、前記方法が、
ａ、回転子に対して固定子（３０）を機能可能に配置することによって、電動機を組み立てるステップと、
ｂ、固定子（３０）のコイル（４０）に対して所定の角度位置に回転子を配置するステップと、
ｃ、前記所定の角度位置の回転子の少なくとも１つの磁気セクタの角度部分の一部の所定レベルの磁化を増進するために、固定子（３０）の少なくとも１個のコイル（４０）の外部電流源からの制御された通電を増進するステップであって、前記制御された通電が、前記磁化を含むそれぞれの磁界を生成する少なくとも１つの電流パルスを与えることから得られる、前記増進するステップと、
ｄ、ステップｃで回転子の少なくとも１つの磁気セクタの角度部分の一部の所定レベルに磁化されなかった少なくとも１つの磁気セクタの少なくとも１つの角度部分の所定のレベルの磁化を、少なくとも１つのコイル（４０）の通電で達成するために、固定子（３０）の少なくとも１個のコイル（４０）に対して他の所定の角度位置に回転子を再配置するステップとからなることを特徴とする方法。
【請求項２】
ステップｂおよびステップｄのいずれかの後で、固定子（３０）に対して回転子を所定の角度位置で回転可能に保持するステップを含むことと、各電流パルスを印加するために、磁化される磁石（２０）が通電されたコイル（４０）に対してそれぞれの角度位置を占めることとを特徴とする、請求項１に記載の方法。
【請求項３】
少なくとも１個の磁石（２０）と通電すべき所定のコイル（４０）との間の相対的角度位置に関する回転子と固定子との間の位置関係と、少なくとも１個の磁気セクタの磁化とのうちの少なくとも一つを決定する追加のステップを、固定子（３０）に対して回転子を保持する各ステップの間に有することを特徴とする、請求項２に記載の方法。
【請求項４】
電流パルスの発生に関して、回転子・固定子の角度位置決めを最適化することによって、各磁気セクタの少なくとも実質的な一部の磁化を最大にすることが達成されることを特徴とする、請求項３に記載の方法。
【請求項５】
回転子角度位置の条件と、通電すべき少なくとも１個のコイル（４０）を有する他の組立ての決定の条件とのうちの少なくとも一つの条件の修正が、各電流パルスの前に行われることを特徴とする、請求項４に記載の方法。
【請求項６】
少なくとも１個の磁気セクタを磁化するステップが、回転子角度位置と、少なくとも１個のコイル（４０）に印加される電流パルスの数と、通電すべきコイル（４０）の数との条件のうちの少なくとも一つの条件を変更することによって得られることを特徴とする、請求項５に記載の方法。
【請求項７】
回転子により保持された磁石（２０）が、その少なくとも一部に所定の程度の磁化を前もって備えていることを特徴とする、請求項６に記載の方法。
【請求項８】
少なくとも１個の磁石（２０）と通電すべき所定のコイル（４０）との間の相対的角度位置の条件と、少なくとも１個の磁気セクタを磁化する条件とのうちの少なくとも一つの条件を決定するステップを、各磁化ステップ間に有することを特徴とする、請求項１に記載の方法。
【請求項９】
回転子と固定子（３０）との間の再配置は、通電すべき固定子（３０）のコイル（４０）に対する回転子の角度方向の変位で得られることを特徴とする、請求項１に記載の方法。
【請求項１０】
回転子と固定子（３０）との間の再配置は、通電すべき固定子（３０）の少なくとも１つの他のコイル（４０）の選択で得られることを特徴とする、請求項１に記載の方法。
【請求項１１】
回転子と固定子（３０）との間の再配置は、通電すべき固定子（３０）のコイル（４０）に対する回転子の角度方向の変位でも得られることを特徴とする、請求項１０に記載の方法。
【請求項１２】
密閉圧縮機電動機を組み立てる方法であって、前記密閉圧縮機電動機が、永久磁石（２０）を保持するとともに、回転子磁気セクタを有する回転子が取り付けられた偏心シャフトを持つシリンダブロックを含み、各回転子磁気セクタが、単一のそれぞれの磁化方向を持っており、前記密閉圧縮機電動機がさらに、複数のコイル（４０）を保持する固定子（３０）を含み、前記方法が、
ａ、シリンダブロックに対して永久磁石（２０）を保持する回転子を位置決めするステップと、
ｂ、偏心シャフトをシリンダブロック内の孔を介して回転子に挿入し取り付けるステップと、
ｃ、固定子と回転子との間に所定の半径方向ギャップを保持するために、シリンダブロック内に固定子を位置決めして取り付けるステップと、
ｄ、固定子（３０）のコイル（４０）に対する所定の角度位置に回転子を機能可能に位置決めするステップと、
ｅ、前記所定の角度位置の回転子の少なくとも１つの磁気セクタの角度部分の一部の所定レベルの磁化を増進するために、固定子（３０）の少なくとも１個のコイル（４０）の外部電流源からの制御された通電を増進するステップであって、前記制御された通電が、前記磁化を含むそれぞれの磁界を生成する少なくとも１つの電流パルスを与えることから得られる、前記増進するステップと、
ｆ、ステップｅで回転子の少なくとも１つの磁気セクタの角度部分の一部の所定レベルに磁化されなかった少なくとも１つの磁気セクタの少なくとも１つの角度部分の所定のレベルの磁化を、少なくとも１つのコイル（４０）の通電で達成するために、固定子（３０）の少なくとも１個のコイル（４０）に対して他の所定の角度位置に回転子を再配置するステップと、
ｇ、その密閉外殻内に圧縮機電動機を組み立てるステップと、
からなることを特徴とする方法。
【請求項１３】
回転子と固定子（３０）との間の再配置は、通電すべき固定子（３０）のコイル（４０）に対する回転子の角度方向の変位で得られることを特徴とする、請求項１２に記載の方法。
【請求項１４】
回転子と固定子（３０）との間の再配置は、通電すべき固定子（３０）の少なくとも１つの他のコイル（４０）の選択で得られることを特徴とする、請求項１２に記載の方法。
【請求項１５】
回転子と固定子（３０）との間の再配置は、通電すべき固定子（３０）のコイル（４０）に対する回転子の角度方向の変位でも得られることを特徴とする、請求項１４に記載の方法。
【発明の詳細な説明】
【０００１】
（発明の技術分野）
本発明は、ブラシレス電動機回転子の金属コアに取り付けられた磁石を磁化する方法に関し、また特に、密閉圧縮機の電動機を組み立てる方法に関する。
【０００２】
（発明の背景）
回転子に永久磁石を有する電動機は、工業用途、家庭用装置、特に可変容量の密閉圧縮機用の好適な解となる電気機器に広く使われている。
【０００３】
これらの電動機は、電動機シャフトの周りに取り付けられた円柱状の回転子コア（通常は層状または塊状の鉄心）に保持された、通常はアーチ状の板の形をした永久磁石を持っている。これらの回転子において、磁石は、金属コア内の長手方向の開口部によって画定されたハウジング内に配置されるか、あるいは電動機の回転作動力に対する必要な抵抗力を機械構造に与えるように構成された異なる保持手段によって、前記コアの円筒側面に取付け保持される。
【０００４】
これらの装置は大規模に生産されるので、これらの電動機の製造方法は、取り扱い上の注意と同様、金属粒子による汚染を避けるための特別の注意を必要とする。
【０００５】
知られている従来技術では、これらの磁石は、回転子に取り付ける前に個別に磁化されるか、前記回転子に取り付けられた後で、回転子が使用される電気組立て品または装置にその回転子が取り付けられる前に磁化される。
【０００６】
いずれにせよ、後で磁気装置を利用するための磁石の磁化は、前記磁石の保磁力（Ｈｃ）よりも通常大きい磁化磁界を処女磁石に印加することによって行われる。磁化後に磁石が取得する磁界は、前記磁化を発生させた磁界と同じ方向の磁束線を持つであろうから、この磁化の磁界は、磁石磁化の所望の方向の磁束線を持つべきである。
【０００７】
磁化磁界は、今度はこの磁石を磁化する磁界を発生させるために、通常、大きい強さと短い持続時間の電流パルスを、１個のコイルまたは１群のコイルを含む強磁性体構造に印加することによって得られる。
【０００８】
例えば回転子内に永久磁石を持ち、可変容量の密閉圧縮機に使われる電動機といった幾つかの電磁気装置では、電流によって作りだされる磁界は、磁石内の所望の最適な磁界に形状的に極めて似ている。電流によって作りだされた磁界の磁束線は、磁石の最適磁界と同じ方向と向きを持っている。その違いは、動作時の電流によって作りだされる磁界の大きさが、磁石を磁化するために必要とされる大きさよりも遙かに低いと言うことにある。
【０００９】
しかしながら、磁界が短い時間間隔で高い値に達するまで、固定子を損傷することなく瞬間的に電流を増加させることは可能である。現在行われているこの方法で磁石を磁化することからくる結果の一つは、回転子が、それが構成された装置に組み立てられる前に、回転子の取り扱いや輸送や保管のときに、前記磁石が固体粒子を引きつける磁気引力の可能性に関係している。
【００１０】
この磁気引力は、それらの部品が磁化されていてもいなくても、それらの磁石が構成された製品の隣接部品に関して作用し、また前記磁石の磁化方法のときに、製品に対する機械的な衝撃と損傷の危険のあるそれらの部品に関しても作用する。
【００１１】
これらの事象は、装置の動作を阻害し、偶発的な衝撃の瞬間や動作の開始時点で、その有効寿命を減少させ、その構造物または磁石を損傷することさえある。
【００１２】
密閉圧縮機電動機、特に可変容量のものに関して、圧縮機内の自由な固体粒子の存在から起こる問題は特に、圧縮機の有効寿命ならびにその動作容量に関係し、それらを劣化させる可能性がある。
【００１３】
回転子が圧縮機に組み立てられたときに既に磁化されていた磁石によって引きつけられた自由固体粒子は、この圧縮機の動作時に、軸受けとピストンシリンダユニットに衝突し、軸受けに磨耗を引き起こす新しい自由粒子を作りだす。
【００１４】
圧縮機内の自由な固体粒子は、オイルサンプに到達し、さらに圧縮機内（電動機、圧縮機内）の潤滑油によって潤滑されるすべての部分に導かれて、例えば軸受けとピストンシリンダユニットに衝突することに加えて、またその圧縮機が結合されている冷却回路に冷却ガスと共に導かれ、その結果、冷却システムの細管の部分的あるいは全体的障害となり、このシステムの冷却効率を劣化させ、障害の程度によっては、圧縮機の冷却動作を阻害することになる。密閉圧縮機の電動機回転子に関する磁石の磁化の従来技術の他の欠点は、回転子と固定子の両者の磁界の不整合からくる結果に関係しており、これは一般にこの技法で発生するものである。
【００１５】
固定子への偏心シャフト・回転子ユニットの組立て（磁化済みの永久磁石を有する回転子）が、固定子端面と回転子端面との整列をもたらさない場合には、それぞれの磁界の間に不整合が発生し、軸受けに作用する力の系を作りだし、シリンダブロック内したがってピストンとシリンダ間に、偏心シャフトの動作上の不均衡を引き起し、この場合、前記シャフトは、前記各部品の磨耗と圧縮機の非効率的な動作とを引き起こすことになる。
【００１６】
これらの問題に加えて、今日採用されている手法は、回転子が圧縮機の電動機組立てに取り付けられる前に、回転子に取り付けられた磁石に、磁化磁界を発生し印加するための特別の装置を必要とする。
【００１７】
（発明の開示）
かくして、本発明の一般的目的は、電動機回転子の永久磁石を磁化する方法であって、回転子が構成された電動機または装置に搭載される前のその回転子の取り扱いや輸送や格納のとき、ならびにこの回転子を装置に組み立てる作業のときに、回転子磁石が、粒子あるいは磁石の隣接部分へのこの回転子磁石の磁気引力の発生の可能性を除去する方法を提供することである。
【００１８】
本発明の他の目的は、回転子磁石の磁化を得るために特別の装置を必要としない、回転子磁石を磁化する方法を提供することである。
【００１９】
本発明の特定の目的は、固定子内に既に取り付けられている回転子を有する電動機構造を利用する、回転子磁石を磁化する方法を提供することである。
【００２０】
本発明の更なる目的は、密閉圧縮機用の電動機回転子の磁石を磁化する方法であって、上記の利点に加えて、圧縮機内の自由粒子の存在を最小にし、その構成部品の磨耗と前記圧縮機が構成された冷却システムの細管の障害とに関する重大性を最小にする方法を提供することである。
【００２１】
これらおよび他の目的は、回転子磁気セクタを有する電動機回転子の永久磁石を磁化する方法であって、各回転子磁気セクタが、単一のそれぞれの磁化方向を持っていて少なくとも１個の磁石からなっており、電動機の固定子は複数のコイルを保持しており、ａ、固定子に対して回転子を機能可能に配置することによって、電動機を組み立てるステップと、ｂ、前記磁気セクタの磁化を増進するために、固定子の少なくとも１個のコイルの外部電流源からの制御された通電を増進するステップとからなることを特徴とする方法によって達成される。
【００２２】
本発明は、次の付属図面を参照しながら以下に説明される。
【００２３】
（発明を実施するための最良の形態）
本発明は、コア１０を有し、ブラシレス電動機のシャフトＳの延長部の周りに取り付けられ、磁石２０を有する、ブラシレス電動機の回転子の磁化に関する。この電動機は、回転子磁気セクタを持っており、各回転子磁気セクタは、単一のそれぞれの磁化方向を持っていて、少なくとも１個の磁石２０からなっている。これらの磁石２０は、例えばアーチ形の板の形をしたストロンチウム・フェライトで作られている。これらの磁石は、図１に示すようにコア１０の外面を取り囲み適当に取り付けられて保持されるか、あるいはこれらの磁石は、図２、３に示すようにコアの内部に設けることもできる。
【００２４】
図１に示す構造では、回転子は、適当なエアギャップを空けて、固定子３０の内部に取り付けられる。この固定子３０は、複数の金属積層３１を軸方向に整列させることによって形成され、これらの金属積層は、互いに同心的に重ねられて固定子積層スタックを形成する。
【００２５】
各金属積層３１は、それぞれの金属積層３１の半径方向内側エッジに開いていて、互いに角度的に円周上に間隔をあけて設けられている複数の溝３２を持っている。
【００２６】
これらの金属積層３１のオーバーラップは、固定子積層スタックを形成するために、各金属積層３１の溝３２が、固定子積層スタックの他の金属積層３１のそれぞれの溝３２と整列して、軸方向のハウジング３３を画定するようになっており、各ハウジング３３はそれぞれ複数のコイル４０を受け入れている。
【００２７】
本発明によれば、回転子の磁化は、磁界を磁石に印加する手段として固定子３０の巻線と金属構造体とを使用して、回転子を電動機（または電動機が動作する他の装置）の固定子３０に取り付けた後に行われる。この磁化は、この目的のために前もって選択された少なくとも１個のコイル４０の制御された通電によって行われる。
【００２８】
本発明によれば、回転子コアに取り付けられた磁石２０を磁化するために、外部電流源に接続された各コイル４０は、大きな強さと短い持続時間とを有する少なくとも一つの電流パルスによって、例えばフェライト磁石に関しては１ｍｓと２０ｍｓとの間の時間間隔だけ通電される。この時間間隔は、十分な強さの瞬間的磁界を発生させて、少なくとも１個の磁気セクタの少なくとも実質的な一部の所望の磁化を誘起することができ、この磁界は、少なくとも１個の磁気セクタに対して横断して方向づけられた磁力線によって均一な磁化を生成することができる。
【００２９】
生成された磁界は、例えば少なくとも１個の磁気セクタの少なくとも大きな範囲の磁化を保証すべきであり、前記電流パルスは、電動機の動作電流の強さよりも強くて、各磁気セクタ内に横断して方向づけられた磁力線にしたがって、均一な磁化を作りだす磁界を発生させるために必要な強さを持っている。
【００３０】
例えばアーチ形状を持っていてコアの外側に設けられた磁石２０に対して、磁力線は、半径方向に方向づけるべきである。
【００３１】
磁化の強さを有する各電流パルスの印加の持続時間は、例えば固定子３０のコイル４０の過熱を避けるために、これらのコイルを損傷する持続時間よりも短くすべきである。
【００３２】
本発明によれば各コイル４０の個別の逐次的な通電、または多数のコイル４０の同時的な通電は、通電すべき固定子３０の多数のコイル４０に対して、回転子が所定の角度位置に回転可能に取り付けられた後に行われる。前記所定の角度位置は、最も少ない数の電流パルス、好ましくは単一の電流パルスが瞬間的な磁界を発生させ、少なくとも１個の磁気セクタに対して、また好ましくは電動機のすべての磁気セクタに対して同時に、磁化特性（磁化の方向と磁化の均一性と磁化の強さ）を最大にするように前もって決めらる。
【００３３】
各磁石２０が十分に磁化されることを可能にするために、すなわち例えば単一の電流パルスによる不十分な磁化の領域を最小にすることを可能にするためには、固定子３０のコイル４０を収容した軸方向ハウジング３３に対する、磁石２０の特定の位置決めの決定が必要であり、これら不十分な磁化領域は、もし存在するとすれば、この回転子の各磁気セクタの横方向エッジの各々の近くで、この方法の終了時に発生する。
【００３４】
十分な磁化は、各磁気セクタ内の磁力線が、均一性と半径方向という特性を持ち、回転子の隣接磁気セクタが、半径方向、反対向きに向けられた磁力線を持っているときに得られる。
【００３５】
回転子の磁気セクタの数は、電動機の構成特性に応じて規定されるものである。各磁気セクタは、隣接の磁気セクタの示す方向とは異なる単一のそれぞれの磁化方向を持っており、回転子の各磁気セクタは、磁化方法のときに決定された少なくとも１個の磁石２０を含んでいる。
【００３６】
通電すべき固定子３０のコイルに対する回転子の不適当な位置決めは、前記コイル４０を流れる電流によって生成される磁界が、その磁力線の少なくとも一部を呈することを可能にする。これらの磁力線は、回転子磁気セクタと交差し、前記磁束線の入射領域における磁石２０の外面に対する垂線と接平面とに関して傾斜しており、こうして二つの隣接磁気セクタの横方向エッジ部で、図１に示すような（異なるハッチングを持った）不十分な磁化領域を作りだすことになる。図示の状況では不十分な磁化領域は、通電されている固定子３０のコイル４０に対する磁石２０の角度的にずれた位置決めの結果から起こる。この配置では、前記磁石２０の横方向エッジ部は、磁石２０の半径に対して、傾斜して方向づけられた磁力線に整列して位置決めされる。
【００３７】
磁化されていない磁石２０を有する回転子が電動機に取り付けられた後に、前記回転子は、前記電動機固定子３０に対して所定の好適な角度に位置決めされる。この角度は、例えば磁石２０の端部または磁気中心と、固定子３０の軸方向ハウジング３３との間に規定された角度であり、固定子のコイル４０は、磁界を発生させるために通電されるであろう。その後、回転子は、例えば暫定保持手段を使うことによって、この位置に安定的に保持されなくてはならない。
【００３８】
外部電流源が、電流パルスを印加する固定子３０の単一または複数のコイル４０の選択は、電動機の型式、極の数、固定子溝の数、磁石２０の形状等に依存する。
【００３９】
電流源はまた、少なくとも１個の磁気セクタまたは種々の磁気セクタの完全な磁化を同時に得るために、あるいはまた磁化すべき磁気セクタの数に対応する、前記完全な磁化を生成するために必要とされる所定の数の電流パルスを供給するために、十分な数の他の引き続く電流パルスを印加することもできる。少なくとも１個の磁気セクタ、あるいはこれらの磁気セクタの各々の少なくとも実質的な一部の磁化は、固定子３０の少なくとも１個のそれぞれのコイル４０によって各々のパルスが生成される同時的、または連続的な電流パルスを印加することによっても達成できる。
【００４０】
本発明によれば、前の段階で得られた磁化が、回転子のすべての磁石２０の全体積を包含しなかった場合、あるいは例えば図示のように、固定子３０のコイルによって生成された磁界が、正しい方向と向きとを持ってはいるが、磁気セクタの幾つかの部分の磁化が不適当あるいは不十分であることが分かったときは、各磁気セクタ間の相対角度位置の各々の修正の後に、他の電流パルスが印加されてもよい。これによってその磁石２０の磁化が完了し、通電すべき少なくとも１個のコイルの組立ては完了するであろう。
【００４１】
生成されて回転子に印加されるパルスの量は、例えば方法のステップ数を最小にするために、すなわちパルスの数、および／または回転子と固定子との間の相対位置の変更の数を最小にするために規定された、回転子に対する磁石の配置の決定に依存しており、および／または最初に、あるいは他のいかなる場合にも、電動機に取り付けられた回転子による磁石２０の磁化を必要とする所望の磁化を達成するために必要とされる、通電すべきコイルのグループの決定に依存している。
【００４２】
各磁化ステップ間で、本方法は、少なくとも１個の磁石２０と所定の固定子コイル４０との間の相対位置の条件と、新しい電流パルスの前の通電すべき単一または複数のコイル４０の相対角度位置決めの条件の少なくとも一つを変更することによって、後続のステップにおける決定の前に、その前のステップで磁化を受けた磁気セクタの少なくとも一つによって達成される磁化の条件とのうちの一つ条件を決定するという、追加のステップを持っている。各相対角度位置の変更の後で新しい電流パルスの前に、固定子に対する回転子の回転運動を制限する追加のステップが更に予見できる。
【００４３】
回転子が密閉圧縮機に取り付けられる場合に、前記電動機の磁石２０の再磁化が必要になるとき、回転子は、少なくとも１個の電流パルスを印加するために回転子・固定子相対位置を知ることとは別に、固定子４０に回転可能に保持される。
【００４４】
必要であれば、コイル４０が通電される前ではあるが固定子３０に対する回転子の新しい角度の位置決めの後に、使われたコイルとは別のコイル４０に、引き続いて電流パルスを印加することができる。使用すべきコイル４０または追従すべき動き角度は、電動機の固有の計画に依存する。
【００４５】
回転子の磁石２０の磁化はまた、複数の電流パルスを同時または連続的に、異なる数のコイル４０に印加することによっても得ることができ、対応する磁気セクタの少なくとも実質的な一部の磁化磁界を発生させるために、各々の数のコイル４０が通電される。
【００４６】
外部電流源は、例えば本技術で既に使われているものでもよい。これは、前記磁石２０が収容される電動機の領域で、十分な強さの磁界を発生させるために必要な電流レベルを供給できる電源からなる。必要な電流の強さと電流パルスの持続時間という特性は、磁石のタイプ、電動機の形状等に関係する種々の要因に依存する。
【００４７】
各磁気セクタの磁化が部分的である場合には、他の電流パルスを印加すべきである。本発明の磁化方法は、密閉圧縮機の電動機を組み立てるための方法ステップの変更を決定する。本発明の磁化方法に応じて、圧縮機電動機を組み立てる方法は、電動機が圧縮機外殻に取り付けられる前であって、シリンダブロックに対して回転子を位置決めするステップと、このシリンダブロック内に設けられた孔を通して前記電動機の偏心シャフトを回転子内に挿入して取り付けるステップと、固定子と回転子との間に所定の半径方向のギャップを維持するために、固定子をシリンダブロック内に位置決めして取り付けるステップとの後に、固定子に対して回転子を位置決めするステップと、磁石２０の磁化を増進するために、固定子３０の少なくとも１個のコイル４０の外部電流源からの制御された通電を増進するステップとを含んでいる。
【００４８】
本発明の解によれば、回転子が、その磁石の磁化をせずに電動機に取り付けられ、したがって、従来技術で見られた磁気引力に起因する問題を回避できることに加えて、本磁化方法は、回転子の外部の磁化手段を使う必要性を除去し、電動機それ自身の磁界発生特性を使用する。
【００４９】
この解の方法は更に、既に回転子に取り付けられていて、その本体の少なくとも一部に所定の程度の磁化（事前磁化）を有する磁石を磁化することを可能にするか、あるいは、固定子に対する回転子の位置決めにおいて最適調整を行うことができない場合に、最悪の磁化条件でも、許容可能なパラメータ内の磁化特性を有する磁石が得られるという条件で、前記磁石に、すべての磁石において完全でなく均一でないこともある新しい磁化を受けさせることを可能にする。これは、例えば前記圧縮機が使われる場所で回転子を再磁化させることができる、圧縮機電動機の保守時に起こる。この方法は、単一の電流パルスから、あるいは回転子磁石の部分的磁化によって、すべての磁石２０の磁化を達成することを可能にし、更に最小数の電流パルスによって、および／または回転子と固定子との間の相対位置の最小数の変更によって、磁化を最大にすることを可能にする。
【００５０】
動作中の密閉圧縮機電動機のように、電動機の再磁化が必要とされるときは、この磁化は、各々が少なくとも１個の磁石２０の少なくとも一部を含む、最初に確定された磁気セクタに関して、角度的にずれている磁気セクタを生成することがある。この状態に関して、新しい磁化は、回転子と固定子との間の相対的位置決めとは無関係に、通電すべきコイル４０と生成されるパルスの数とを変更することによって行われる。
【００５１】
密閉圧縮機に関して本発明は、前述の利点に加えて、回転子と固定子両者の磁界間の整合を保証して、軸受けに対する力の発生と、偏心シャフトとその偏心シャフトが取り付けられているシリンダブロックの孔との間の、またピストンとそのピストンが動作するシリンダとの間の不均衡に起因する磨耗の結果とを避けるという利点を持っている。本発明は更に、従来技術で発生するような、自由粒子に起因する冷却回路内の障害を回避する。
【図面の簡単な説明】
【図１】  電動機回転子の固定子積層スタック内に取り付けられた、回転子の外面にアーチ形の磁石を備える電動機回転子の構造を概略的、部分的に示す横断面図である。
【図２】  図１のように回転子内にアーチ形の磁石を備える他の回転子構造を示す図である。
【図３】  図１のように回転子内に直線構成の磁石を備える他の回転子構造を示す図である。
【図１】
0004611519.tif 000002
【図２】
0004611519.tif 000003
【図３】
0004611519.tif 000004